(57)【要約】【課題】魚の当たりがあった場合、釣竿保持具に釣竿を保持したままでも穂先側を持ち上げるフッキング操作と左右に振る操作が素早くできる釣竿を提供することを目的とする。【解決手段】魚の当たりを待つ姿勢で釣竿保持具に竿尻部を保持する釣竿において、上記釣竿保持具に保持される釣竿１１の竿尻部を、上記釣竿１１の竿先側を上下方向及び左右方向の両方の向きに振れるように上記釣竿保持具に回動自在に支持するようにしたものである。【選択図】      図５
2009055840.tif 000002
【特許請求の範囲】
【請求項１】
魚の当たりを待つ姿勢で竿尻部を釣竿保持具に保持する釣竿において、上記釣竿保持具に保持される釣竿の竿尻部を、上記釣竿の竿先側を上下方向及び左右方向の両方の向きに振れるように上記釣竿保持具に回動自在に支持する竿回動支持部を設けたことを特徴とする釣竿。
【請求項２】
魚の当たりを待つ姿勢で竿尻部を釣竿保持具に保持する釣竿において、釣竿の竿尻部に上下方向及び左右方向の一方の方向に沿う回動軸を有する回動体を設け、上記回動体には他方の方向へ向いた孔を設け、該孔に差し込まれる連結ピンを介して上記元竿の竿尻部を、上記回動体と上記連結ピンが差し込まれる孔により上記釣竿の竿先側を上下方向と左右方向へ振れるように釣竿保持具に回動自在に支持する竿回動支持部を形成したことを特徴とする釣竿。
【請求項３】
魚の当たりを待つ姿勢で竿尻部を釣竿保持具に保持する釣竿において、釣竿の竿尻部に上下方向及び左右方向の一方の方向に沿う回動中心軸を有する回動体を設け、上記回動体には他方の方向に横切り上方に向けて開口した係合凹部を設け、上記回動体と上記連結ピンが差し込まれる上記係合凹部により上記釣竿の竿先側を上下方向と左右方向へ振れるように上記元竿の竿尻部を釣竿保持具に回動自在に支持する竿回動支持部を形成したことを特徴とする釣竿。
【請求項４】
魚の当たりを待つ姿勢で竿尻部を釣竿保持具に保持する釣竿において、釣竿の竿尻部に球状の先端チップを回動自在に係合する回転面状の受け座を有し、該先端チップが係合する受け座により上記釣竿の竿先側を上下方向及び左右方向に振れるように上記釣竿保持具に上記釣竿の竿尻部を回動自在に支持する竿回動支持部を形成したことを特徴とする釣竿。
【発明の詳細な説明】
【技術分野】
【０００１】
本発明は魚の当たりを待つ姿勢で釣竿の竿尻部を釣竿保持具に保持する竿回動支持部を設けた釣竿に関する。
【背景技術】
【０００２】
従来から知られる釣竿保持具１は図１３及び図１４に示すように示すように釣竿２の元竿部分を載置する略Ｕ字状の竿掛部３を有した竿掛けアーム４と、釣竿２の竿尻部材５を受け止め支持するために矩形枠状に形成した竿受部６を有した竿受けアーム７とを備える。竿掛けアーム４と竿受けアーム７とは岩場の隙間等に突き刺して設置する支柱８の上部に水平上部アーム８ａを介して取り付けられる。そして釣竿保持具１に釣竿２を保持する場合は図１４に示すように釣竿２のリール装着部より竿尻側の元竿部分をＵ字状の竿掛部３に掛けるとともに竿尻部材５を竿受部６内に差し込む。すると、竿掛部３を支点として穂先側が竿尻側より重くなるために穂先側が下方へ移動しようとし、一方、竿尻側は上方へ移動しようとして釣竿を所定の姿勢で保持する。また、竿尻部材には上下方向に貫通する孔９ａが設けられ、この孔９ａと同じく竿受部６の上枠に設けられた貫通孔９ｂの両者にわたりピン１０を貫通して装着し、竿尻部材５が竿受部６から外れることを防止する。
【特許文献１】特開２００４−１２９５６９号（段落［0025］〜［0028］の欄参照）
【発明の開示】
【発明が解決しようとする課題】
【０００３】
従来では釣竿はその竿尻部材に設けた孔と、竿受部の上枠に設けた貫通孔との両者にわたり上下方向に貫通するピンで連結しているために釣竿保持具に釣竿を保持したままでの上下方向への竿の回動操作が難しく、魚の当たりがあった場合、釣竿を釣竿保持具から外さないと、フッキングできず、このため、素早いフッキングを行うことが困難であった。例えば、石鯛釣のように大型の魚を釣る際に針の喰込みを促すために素早くフッキングを行うことは重要であるが、そのような場合においての素早い対応が困難であった。更に、釣竿の竿尻部材が釣竿保持具の竿受部にピンで連結されるとともに釣竿の竿尻部材が釣竿保持具の竿受部に嵌め込み係止しているので釣竿を左右へも容易に動かせない。したがって魚が掛かった状態での左右方向への魚の複雑な動きに竿を追従させることも難しい。
【０００４】
以上のごとく上記従来では該釣竿保持具に釣竿を保持したままでは上下方向と左右方向への竿操作を行うことが難しく、魚の当たりがあった場合に穂先側を持ち上げるフッキング操作や魚が掛かった状態での左右方向への魚の複雑な動きに竿を追従させる竿操作に素早く迅速に対応することが困難であった。例えば、石鯛釣のように大型の魚を釣る際に針の喰込みを促すために素早くフッキングを行うこと、及び左右方向への魚の複雑な動きに竿を追従させる操作は重要であるが、それらに対する素早い対応が困難であった。
【０００５】
本発明は上記事情にもとづいてなされたもので、魚の当たりがあった場合、穂先側を上げるフッキング操作及び魚が掛かった状態での左右方向への魚の複雑な動きに竿を追従させる操作を釣竿保持具に釣竿を保持したままでも素早く対応可能であり、釣操作性が高まる釣竿を提供することを目的とする。
【課題を解決するための手段】
【０００６】
本発明は、魚の当たりを待つ姿勢で竿尻部を釣竿保持具に保持する釣竿において、上記釣竿保持具に保持される釣竿の竿尻部を、上記釣竿の竿先側を上下方向及び左右方向の両方の向きに振れるように上記釣竿保持具に回動自在に支持する竿回動支持部を設けたことを特徴とする釣竿である。  
本発明は、魚の当たりを待つ姿勢で竿尻部を釣竿保持具に保持する釣竿において、釣竿の竿尻部に上下方向及び左右方向の一方の方向に沿う回動軸を有する回動体を設け、上記回動体には他方の方向に向いた孔を設け、該孔に差し込まれる連結ピンを介して上記元竿の竿尻部を、上記回動体と上記連結ピンが差し込まれる孔により上記釣竿の竿先側を上下方向と左右方向へ振れるように釣竿保持具に回動自在に支持する竿回動支持部を形成したことを特徴とする釣竿である。  
本発明は、魚の当たりを待つ姿勢で竿尻部を釣竿保持具に保持する釣竿において、釣竿の竿尻部に上下方向及び左右方向の一方の方向に沿う回動中心軸を有する回動体を設け、上記回動体には他方の方向に向いて横切り上方に向けて開口した係合凹部を設け、上記回動体と上記連結ピンが差し込まれる上記係合凹部により上記釣竿の竿先側を上下方向と左右方向へ振れるように上記元竿の竿尻部を釣竿保持具に回動自在に支持する竿回動支持部を形成したことを特徴とする釣竿である。  
本発明は、魚の当たりを待つ姿勢で竿尻部を釣竿保持具に保持する釣竿において、釣竿の竿尻部に球状の先端チップを回動自在に係合する回転面状の受け座を有し、該先端チップが係合する受け座により上記釣竿の竿先側を上下方向及び左右方向に振れるように上記釣竿保持具に上記釣竿の竿尻部を回動自在に支持する竿回動支持部を形成したことを特徴とする釣竿である。
【発明の効果】
【０００７】
本発明によれば、魚が掛かった場合、穂先側を持ち上げるフッキング操作及び左右方向への魚の複雑な動きに竿を追従させる操作が釣竿保持具に保持したままでも素早く対応可能である。
【発明を実施するための最良の形態】
【０００８】
図１は本実施形態に係る釣竿の一例である。この釣竿１１は穂先側に向けて細径化する複数の竿部材からなり、最も竿尻側に配置される元竿１２と最も穂先側に配置される穂先竿１３と、その元竿１２と穂先竿１３との間に配置される複数の中竿１４とで構成されている。各竿部材の外周面には釣糸を挿通可能なリング状の釣糸ガイド１６が設けられている。元竿１２にはリール装着部１７が設けられている。図２に示すようにリール装着部１７はシート本体部２１と、シート本体部２１の竿尻側に位置して該シート本体部２１に対して固定的に設けられた固定フード２２と、シート本体部２１の穂先側に位置して該シート本体部２１に対して移動自在に設けられた移動フード２３と、移動フード２３を移動させるナット２４とを備える。そしてリール装着部１７に装着された図示しないリールから穂先側に向かって釣糸が引き出され、引き出される釣糸は図１に示す釣糸ガイド１６に挿通して穂先まで案内される。元竿１２はリール装着部１７を含みその前後をグリップ部１８の領域としている。
【０００９】
この釣竿の構造としては並継、インロー継などの形式の他に振り出し式等の形式も採用可能である。竿部材は例えば炭素繊維等の強化繊維にエポキシ樹脂などの合成樹脂を含浸した繊維強化プリプレグを巻回して形成し、その後、熱硬化処理することにより作られる。
【００１０】
また、図２に示すように、元竿１２の竿尻端には尻栓（竿尻部材）を兼ねた腹当て部材２５が設けられて、この部分を竿尻部としている。この腹当て部材２５は図４（Ａ）（Ｂ）（Ｃ）に示すように元竿１２の竿尻端からその元竿１２内に密に嵌入される略円柱状の嵌込部２６と、元竿１２の竿尻端から外へ突出した腹当て本体２７とが一体に形成されている。この腹当て部材２５は例えば合成樹脂、木材または金属等で形成される。本実施形態では金属によって一体に形成されている。また、腹当て部材２５に紐等を挿通するための図示しない孔を設けてこれに紐等を挿通し、該紐を釣竿保持具や他の固定物または釣人に締結して釣竿が不用意に水中等に落ちてしまうことを防止するようにしてもよい。
【００１１】
図３は本実施形態に係る釣竿を保持する釣竿保持具を示した斜視図であり、この釣竿保持具３１は釣竿１１の元竿部分を載置する略Ｕ字状の竿掛部３２を有した竿掛けアーム３３と、釣竿１１の腹当て部材２５を支持するために竿受部３４を有した竿受けアーム３５とを備える。竿掛けアーム３３と竿受けアーム３５とは支持体としての支柱４０の上端に水平上部アーム４０ａを介して取り付けられている。ここで支持体としては地面や岩場に突き刺すピン状の支柱としたが、地面や岩場に設置する台座や船の舷の上縁等に取り付け得るようにした支持具でもよい。
【００１２】
図４及び図５に示すようにその釣竿１１の腹当て部材２５における腹当て本体２７に別部材の回動体５１を設け、この回動体５１には支持用孔２９を形成する。つまり腹当て本体２７の後端部領域には左右方向に突抜けて後方を開放した切欠部５２を形成するとともにその切欠部５２内に円板状の回動体５１を水平に配置する。回動体５１は切欠部５２の上下に位置する片部５３にわたりその切欠部５２内を上下に貫通する回動軸体５４に軸支されている。そして回動体５１はその回動軸体５４により腹当て部材２５に軸支され、腹当て本体２７に対して左右方向または水平な方向へ回動自在に取着されている。ところで釣竿についての上下左右または水平等の方向や向きについてはその釣竿を使用する釣人の立場から該釣竿の方向や向きを見ることを原則とする。
【００１３】
上記回動体５１の一周側部には左右方向に貫通した支持用孔２９が設けられる。そして図５に示すように回動体５１の支持用孔２９は該支持用孔２９に竿受部３４の連結ピン４２を差し込んで上記竿受部３４に対して釣竿１１を上下方向へ回動自在に支持するようにした竿回動支持部を構成している。つまり腹当て本体２７には回動体５１に支持用孔２９を設けることにより釣竿１１の穂先側を上下方向に回動自在に支持する竿回動支持部と釣竿を水平左右方向へ回動自在に支持する竿回動支持部を構成される。また、腹当て部材２５には回動体５１を上下方向に沿う回動軸上で軸支する。つまり回動体５１は腹当て本体２７に対して左右方向（水平方向）へ回動自在に取着される。これにより腹当て本体２７には竿受部３４に対して釣竿１１を左右方向に回動自在に支持する竿回動支持部が設けられる。
【００１４】
この釣竿を使用する場合は図５に示す竿受部３４を使用する。上記竿受部３４は下枠３７、左枠３８および右枠３９からなる枠部材として構成され、上記下枠３７が竿受けアーム３５等を介して上記支柱４０の水平上部アーム４０ａに固定されている。竿受部３４の左枠３８と右枠３９には同じ高さの位置にピン差込み孔４１が設けられ、該ピン差込み孔４１は左右対称に配置されている。この左枠３８と右枠３９のピン差込み孔４１には図５に示すように連結ピン４２が水平方向から着脱自在に差し込まれる。連結ピン４２は腹当て本体２７の支持用孔２９にも挿通可能である。そして左枠３８と右枠３９の間に腹当て部材２５を位置させて一方のピン差込み孔４１から連結ピン４２を差し込み、さらに腹当て部材２５の支持用孔２９から他方のピン差込み孔４１にまで連結ピン４２を差し込む。これにより釣竿１１の腹当て部材２５は竿受部３４に対して上下方向に回動自在に支持される。このため、釣竿１１は釣竿保持具３１に保持した状態で連結ピン４２を中心として穂先側を持ち上げるフッキングが可能になる。
【００１５】
この釣竿を使用する場合は上述したように竿受部３４に連結ピン４２を用いて回動体５１を支持する。この後、釣竿１１の元竿部分を略Ｕ字状の竿掛部３２に掛ける。すると、竿掛部３２を支点として釣竿１１の穂先側が下がり、竿尻側が上方へ移動しようとして竿受部３４に受け止められる。そして釣竿１１は魚の当たりを待つ所定の姿勢で釣竿保持具３１に保持される。
【００１６】
そして魚の当たりがあったときは竿受部３４に釣竿１１を連結したままで釣竿１１の穂先側を持ち上げるフッキング操作を直ちに行うことが可能である。また、竿受部３４に釣竿１１を連結したままで釣竿１１を水平方向にも振ることもできる。したがって魚の当たりがあったときの素早いフッキング操作と左右移動操作を含む自由な竿操作が竿受部３４に釣竿１１を連結したままで可能である。
【００１７】
図６及び図７は釣竿の更に異なる他の例を示す。先に述べた実施形態におけるものと同様な構成はその説明を原則として省略するとともに同一の符号を使用する。この実施形態では釣竿１１における腹当て本体２７の後端部領域における上面部の一部に左右方向に沿ってその左右方向に突抜けて矩形溝状に切欠いて形成した凹部５５を設け、この凹部５５内に回動体５６を配置する。回動体５６は例えば円板状の部材によって形成される。回動体５６は上記凹部５５の底部から上方向に延びた軸芯の回動軸５７に枢着され、水平方向に回動できるように腹当て本体２７に取り付けられる。回動体５６の上面部には図６（Ａ）（Ｂ）（Ｃ）に示すように左右に突抜けて上方に開放した凹溝を形成し、この凹溝によって、後述する竿受部３４の連結ピン７１を嵌め込んでその連結ピン７１を受け止める受部５８を形成する。受部５８は連結ピン７１を嵌め込み、釣竿１１の元竿部分を上下方向に回動自在に支持できる。
【００１８】
上記竿受部３４は図７に示すように下枠３７と左枠３８と右枠３９を有してなり、下枠３７が竿受けアーム３５を介して支柱４０の水平上部アーム４０ａに固定される。竿受部３４の左枠３８と右枠３９には連結ピン７１が水平に位置して竿受部３４の左枠３８と右枠３９に対して架設されている。そして回動体５６の受部５８によって連結ピン７１を受け止めて釣竿１１は竿受部３４に支持される。
【００１９】
ここでは回動体５６の受部５８に竿受部３４の連結ピン７１を嵌め込んで釣竿を保持し、釣竿の竿尻部は釣竿の穂先側が上下に振れる向きに回動自在に支持されるようになっている。そして釣竿の竿尻部には釣竿の穂先側が上下に振れる向きに回動自在に支持する竿回動支持部を構成する。また、回動体５６は水平方向に回動自在であるために釣竿の穂先側が水平方向において左右方向へ振れるように支持すること、つまり竿受部３４に支持された釣竿を該釣竿の竿先側を左右方向へ移動自在に上記元竿の竿尻部を支持する竿回動支持部を同時に構成する。
【００２０】
また、回動体５６の受部５８は連結ピン７１に対して下側から当たりその連結ピン７１に係止するので、釣竿１１の腹当て部材２５を下向きに移動させれば連結ピン７１から腹当て部材２５を直ちに簡単に取り外すことができる。これにより竿受部３４は魚の当たりを待つ姿勢で該竿受部３４が元竿１１から受ける力の方向とは異なる向きに該竿受部３４に支持する元竿自体を移動するだけで元竿が竿受部の受部から外れる竿着脱部を構成する。したがって竿受部３４から釣竿１１を容易に着脱できる。
【００２１】
また、図６（Ａ）（Ｂ）（Ｃ）に示すように回動体５６の受部５８は穂先側の壁面が傾斜しており、竿尻側の壁面は釣竿の長手軸方向に略垂直であるため、釣竿の長手軸方向において穂先側に釣竿を引いても連結ピン７１に対する受部５８の係合状態を維持できる一方、その受部５８の開口が前方に広くなっているために連結ピン７１に対して釣竿の腹当て部材２５を押し下げることで釣竿を簡単に外すことができる。そして釣竿を穂先側へ移動すると釣竿保持具の竿受部３４から完全に抜去できる。
【００２２】
図８乃至図１０は釣竿の更に異なる他の例を示す。先に述べた実施形態のものと同様な構成はその説明を原則として省略するとともに同一の符号を使用する。この実施形態における釣竿１１は元竿１２における竿尻端に尻栓（竿尻部材）を兼ねた腹当て部材２５が設けられている。この腹当て部材２５の竿尻端から外へ突出した腹当て本体２７における後端部領域には後述する釣竿保持具の竿受部３４に対して着脱自在に接続するための接続部６０が構成されている。
【００２３】
一方、上記釣竿保持具の竿受部３４は図９に示すように構成される。つまり竿受けアーム３５を支柱として形成し、この支柱の途中に連結部材４７を取り付ける。連結部材４７は竿受けアーム３５に被嵌するリング部４８と、このリング部４８から釣竿側への前方へ突き出す連結アーム６１と、この連結アーム６１の突出し先端に取着された軸体としての球状の先端チップ６２とから構成される。先端チップ６２の径は連結アーム６１の径よりも大きい。
【００２４】
上記釣竿１１に形成される接続部６０には図８（Ａ）（Ｂ）（Ｃ）（Ｄ）に示すように左右方向に貫通したチップ出入用孔６３と、このチップ出入用孔６３内の中間部位に形成された例えば球面状または円錐状などの球状の軸面を有する軸体を回動自在に受け得るいわゆる幾何学的回転面形状の係合軸受面を有する係合用受け座６４と、この係合用受け座６４に対して回動自在に係合する先端チップ６２の中心から上下左右にそれぞれ延びた放射十字状のスリット６５とが形成されている。各スリット９５の幅は連結アーム９１の上下及び左右の径より大きく、また、先端チップ９２の径よりも小さい。
【００２５】
更に係合用受け座６４から腹当て本体２７における突出し端側には上記係合用受け座６４の軸受け中心を頂点とする円錐状の切り欠き開口部６６が形成され、先端チップ６２を中心とする連結アーム６１の回動を許容するとともに、その切り欠き部６６の内面によって先端チップ６２を中心とする連結アーム６１の回動範囲θの両終端を規制するストッパを構成する。また、先端チップ６２はチップ出入用孔６３から出し入れ可能であるため、これにより釣竿には釣竿保持具から釣竿１１を釣竿自体の操作で外せる竿着脱機構部を構成する。
【００２６】
そして係合用受け座６４は釣竿保持具の竿受部３４の先端チップ６２を係合することにより先端チップ６２それ自身の中心を回動中心として釣竿を回動可能に竿受部３４に支持する。つまり係合用受け座６４は釣竿保持具の竿受部３４の先端チップ６２を受けて竿受部に支持された釣竿の竿先側を水平方向へ移動自在に元竿の竿尻部を支持する竿水平移動用回動支持機構と、釣竿の竿先側が上下に振れる向きに元竿の竿尻部を支持する竿上下移動用回動支持機構とを同時に構成している。釣竿の回動方向が上下方向及び左右方向を含み、それ以外の斜めの向きにも回動可能であるために釣竿の竿先側を上下及び水平な方向のみならず、それ以外の向きにも回動可能であるため、釣竿を移動させる竿操作性能を高めることができる。
【００２７】
これを使用する場合は釣竿における腹当て部材２５のチップ出入用孔６３に竿受部３４の先端チップ６２を差し込んでチップ係合用受け座６４に嵌め込む。そして連結アーム６１をスリット６５に通すことにより切欠き開口部６６内の係合用受け座６４に先端チップ６２を位置させることができる（図１０参照）。その逆の操作により竿受部３４から釣竿を取り外すことができる。
【００２８】
そして竿受部３４に釣竿１１を取り付けた後、釣竿１１の元竿部分を略Ｕ字状の竿掛部３２に掛けると、釣竿１１は魚の当たりを待つ所定の姿勢になる。先端チップは係合用受け座に対して上下左右の方向を含むそれ以外の方向にも回動できるため、魚の当たりがあったとき、釣竿の穂先側を持ち上げるフッキングはもちろん釣竿の穂先側を左右に移動する操作も可能であり、それらの竿操作を竿受部に釣竿を連結したままで魚の当たりを感じたら素早く行うことができる。石鯛釣のように大型の魚を釣る際には針の喰込みを促すためにフッキング操作や竿移動は重要であるが、本実施形態の釣竿ではその操作を、釣竿保持具から釣竿を外すことなく素早く対応できる。
【００２９】
図１１及び図１２は釣竿の更に異なる他の例を示す。先に図８乃至図１０に基づいて述べた実施形態では釣竿保持具の竿受部３４に連結アーム６１及び先端チップ６２を設けるようにしたが、この実施形態では連結アーム６１と先端チップ６２を、釣竿１１の元竿１２における腹当て部材２５に組み込み、釣竿１１側に装着しておくようにしたものである。連結アーム６１の突出し端部には釣竿保持具の竿受部３４に対して着脱自在に接続する連結部としてのリング部７１を設ける。
【００３０】
図１２に示すように釣竿保持具の竿受部３４は鉛直な支柱として形成した竿受けアーム３５の途中に連結部材４７を取り付ける。この連結部材４７は竿受けアーム３５に被嵌するリング部４８と、このリング部４８から釣竿側への前方へ突き出す一対の連結片４９とを含み構成される。図１２に示すように一対の連結片４９はその間に上下方向へ突抜けた切欠き状の隙間５０を形成し、この隙間５０に上記釣竿１１側のリング部７１を差し込んで配置できるようになっている。
【００３１】
左右の連結片４９には水平方向に一致する同軸上に位置して左右に貫通して形成されるピン差込み孔７３が形成されていて、図１２に示すようにピン差込み孔７３及びリング部７１の孔部にわたり連結ピン７４を差し込むことにより上記釣竿１１側のリング部７１を釣竿保持具の竿受部３４に対して接続できる。連結ピン７４は抜差し自在であるため、釣竿１１側のリング部７１を釣竿保持具の竿受部３４に対して着脱できる。
【００３２】
そして上述した構成により釣竿保持具から釣竿１１を釣竿自体の操作で外せる竿着脱機構部を構成する。その他の構成は上述した図８乃至図１０に基づいて述べた実施形態のものと同様に構成できる。同一の符号を使用してその説明を省略する。
【００３３】
本発明は上記実施の形態に限ることなく、本発明の要旨を逸脱しない範囲で種々の変形が可能である。釣竿の穂先側を上下方向に回動自在に竿尻部を支持する竿回動支持部と、釣竿の穂先側を左右（水平）方向に回動自在に竿尻部を支持する竿回動支持部との位置関係を９０°変えて配置してもよい。この場合は上述した釣竿の穂先側を上下方向に回動自在に竿尻部を支持する竿回動支持部が釣竿の穂先側を水平方向に回動自在に竿尻部を支持する竿回動支持部になり、上述した釣竿の穂先側を左右方向に回動自在に竿尻部を支持する竿回動支持部が釣竿の穂先側を上下方向に回動自在に竿尻部を支持する竿回動支持部になる。また、上記実施の形態には種々の段階の発明が含まれており、上記実施の形態に示された事項の適宜な組み合わせの発明が抽出される。
【図面の簡単な説明】
【００３４】
【図１】本実施形態に係る釣竿の側面図。
【図２】上記釣竿の元竿付近を拡大して示す側面図。
【図３】上記釣竿の使用状態を説明する斜視図。
【図４】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ｂ）中のＣ−Ｃ線に沿う上記釣竿の竿尻部の縦断面図。
【図５】上記竿受部に釣竿の竿尻部を組み付ける状況を示す斜視図。
【図６】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ａ）中のＣ−Ｃ線に沿う縦断面図、（Ｄ）は上記釣竿の竿尻部の下面図。
【図７】上記竿受部に釣竿の竿尻部を組み付ける状況を示す斜視図。
【図８】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面図、（Ｃ）は（Ａ）中のＣ−Ｃ線に沿う上記釣竿の竿尻部の縦断面図、（Ｄ）は（Ａ）中のＤ−Ｄ線に沿う上記釣竿の竿尻部の縦断面図。
【図９】上記釣竿の竿尻部を組み付ける竿受部の斜視図。
【図１０】上記竿受部に釣竿の竿尻部を組み付けた状況を示す斜視図。
【図１１】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部縦断して示す側面面図、（Ｃ）は（Ａ）中のＣ−Ｃ線に沿う上記釣竿の竿尻部の縦断面図。
【図１２】上記釣竿の竿尻部を組み付ける竿受部の斜視図。
【図１３】従来の釣竿保持具の斜視図。
【図１４】同じくその従来の釣竿保持具の使用状態の側面図。
【符号の説明】
【００３５】
１１…釣竿
２７…腹当て本体
２９…支持用孔
３１…釣竿保持具
４２…連結ピン
５１…回動体
【図１】
2009055840.tif 000003
【図２】
2009055840.tif 000004
【図３】
2009055840.tif 000005
【図４】
2009055840.tif 000006
【図５】
2009055840.tif 000007
【図６】
2009055840.tif 000008
【図７】
2009055840.tif 000009
【図８】
2009055840.tif 000010
【図９】
2009055840.tif 000011
【図１０】
2009055840.tif 000012
【図１１】
2009055840.tif 000013
【図１２】
2009055840.tif 000014
【図１３】
2009055840.tif 000015
【図１４】
2009055840.tif 000016